(57)【要約】【課題】衝撃に強く良好な通信を行えるようにしたリライト表示層付きＲＦＩＤタグを提供する。【解決手段】ＲＦＩＤタグは、基材２と、基材上に情報を書替え可能に表示するリライト表示層６と、基材に取り付けたＲＦＩＤインレット１と、基材の少なくとも一辺に設けた貼付部３と、貼付部を被貼付物に貼付する貼付手段４とからなるものとし、さらに、その基材２と貼付部３のうち、少なくとも基材２は、他の物体との衝突による衝撃力で湾曲する柔軟性と、その衝撃力がなくなった後に湾曲前の元の形態に復元できる弾性とを有するものとする。【選択図】図１
2010086198.tif 000002
【特許請求の範囲】
【請求項１】
基材と、
上記基材上に情報を書替え可能に表示するリライト表示層と、
上記基材に取り付けたＲＦＩＤインレットと、
上記基材の少なくとも一辺に設けた貼付部と、
上記貼付部を被貼付物に貼付する貼付手段とからなり、
上記基材と上記貼付部のうち、少なくとも基材が、他の物体との衝突による衝撃力で湾曲する柔軟性と、その衝撃力がなくなった後に湾曲前の元の形態に復元できる弾性とを有すること
を特徴とするリライト表示層付きＲＦＩＤタグ。
【請求項２】
請求項１に記載された柔軟性と弾性を有する基材とは、以下の試験方法によって特定される試験の結果、戻り角度Θが４５度以上、９０度以下になるものであること
を特徴とする請求項１に記載のリライト表示層付きＲＦＩＤタグ。
＜試験方法＞
本試験は、水平面と垂直面とが連続して設けられている試験台を用い、上記基材を試験片とする。そして、この基材の試験片を試験台の垂直面から外方へ５ｃｍ突出させ、この状態で試験片を手で掴んで９０度曲げた後、その手を離す。そして、手を離してから５秒経過した後、試験台の水平面を基準面として、試験台の水平面と試験片とのなす角度を戻り角度Θとして測定する。
【請求項３】
上記リライト表示層は、加熱により透明状態と白濁状態とが可逆的に変化し、常温でそれぞれの状態の維持が可能な熱可逆性材料よりなること
を特徴とする請求項１又は２に記載のリライト表示層付きＲＦＩＤタグ。
【請求項４】
上記基材と上記リライト表示層との間には背景層が設けられ、
上記背景層と上記リライト表示層との間には空気層が設けられていること
を特徴とする請求項３に記載のリライト表示層付きＲＦＩＤタグ。
【請求項５】
上記リライト表示層は、ロイコ染料と可逆顕色剤を含む熱可逆性材料よりなること
を特徴とする請求項１又は２に記載のリライト表示層付きＲＦＩＤタグ。
【請求項６】
上記貼付手段は、上記貼付部の裏面に粘着剤層を設け、その粘着力によって上記貼付部を上記被貼付物に貼付する方式、あるいは、上記貼付部にネジ挿入孔を設け、ネジ挿入孔にネジを挿入して被貼付物側のネジ孔に締め付け固定することで、上記貼付部を上記被貼付物に貼付する方式であること
を特徴とする請求項１ないし５のいずれか１項に記載のリライト表示層付きＲＦＩＤタグ。
【請求項７】
上記貼付部は、２枚のシートをその厚さ方向に重ねた形態になっていて、２枚のシートに分離可能であること
を特徴とする請求項１ないし５のいずれか１項に記載のリライト表示層付きＲＦＩＤタグ。
【請求項８】
上記貼付手段は、分離した上記２枚のシートのそれぞれにネジ挿入孔を設け、このネジ挿入孔にネジを挿入して被貼付物側のネジ孔に締め付け固定することで、上記貼付部を被貼付物に貼付するものであること
を特徴とする請求項７に記載のリライト表示層付きＲＦＩＤタグ。
【請求項９】
上記貼付手段は、被貼付物に固定冶具として一対の爪を設けるとともに、上記貼付部を２枚のシートに分離して開き、開いた両方のシートを上記両爪の下に滑り込ませることで、上記貼付部を被貼付物に貼付するものであること
を特徴とする請求項７に記載のリライト表示層付きＲＦＩＤタグ。
【請求項１０】
上記貼付手段は、上記貼付部を２枚のシートに分離して開き、開いた両シートの裏面に両面テープを貼付し、この両面テープを介して上記貼付部を被貼付物に貼付するものであること
を特徴とする請求項７に記載のリライト表示層付きＲＦＩＤタグ。
【請求項１１】
上記貼付部は、２枚のシートに分離し開かれたときに、そのシートの開き面に自己粘着性エラストマー樹脂シートが露出する構成になっていて、
上記貼付手段は、上記自己粘着性エラストマー樹脂シートの自己粘着力によって、上記貼付部を被貼付物に貼付するものであること
を特徴とする請求項７に記載のリライト表示層付きＲＦＩＤタグ。
【請求項１２】
上記貼付部は、２枚のシートに分離し開かれたときに、そのシートの開き面にセパレータシートが露出し、更にそのセパレータシートを剥離すると、粘着剤層が露出する構成になっていて、
上記貼付手段は、上記粘着剤層の粘着力によって、上記貼付部を被貼付物に貼付するものであること
を特徴とする請求項７に記載のリライト表示層付きＲＦＩＤタグ。
【請求項１３】
上記貼付部は、２枚のシートに分離し開かれたときに、そのシートの開き面に両面テープが露出し、更にその両面テープ表面の保護テープを剥離すると、両面テープの粘着剤層が露出する構成になっていて、
上記貼付手段は、上記両面テープの粘着剤層の粘着力によって、上記貼付部を被貼付物に貼付するものであること
を特徴とする請求項７に記載のリライト表示層付きＲＦＩＤタグ。
【請求項１４】
上記貼付部は、２枚のシートに分離し開かれたときに、そのシートの開き面に金属板が露出する構成になっていること
を特徴とする請求項４に記載のリライト表示層付きＲＦＩＤタグ。
【発明の詳細な説明】
【技術分野】
【０００１】
本発明は、物品に貼付され該物品の管理等に使用されるリライト表示層付きＲＦＩＤタグに関し、特に、衝撃に強く既定通りの良好な通信を行えるようにしたものである。
【背景技術】
【０００２】
この種のリライト表示層付きＲＦＩＤタグは、ＲＦＩＤインレットとリライト表示層を備え、各種の分野で幅広く利用されている。例えば、物流の分野では、コンテナで搬送される荷物（物品）の入出庫をリライト表示層付きＲＦＩＤタグで管理するシステムがある。
【０００３】
かかる管理システムでは、予め、リライト表示層付きＲＦＩＤタグに荷物の情報を格納する作業（情報格納作業）と表示する作業（情報表示作業）とを行ってから、そのリライト表示層付きＲＦＩＤタグを荷物に貼付する。情報格納作業とは、ＲＦＩＤリーダライタによって、ＲＦＩＤインレットを構成するＩＣチップ内に荷物の情報を格納する作業であり、情報表示作業とは、リライトプリンタによって、その荷物の情報を目視可能にリライト表示層に表示する作業である
【０００４】
そして、この管理システムでは、コンテナが通過する入出庫ゲートにＲＦＩＤリーダライタが設けられていて、当該ゲートを通過する荷物のリライト表示層付きＲＦＩＤタグから荷物の情報を読取り、どの入出庫ゲートから何時にどの荷物が入出庫されたか等、荷物の入出庫管理を行う。
【０００５】
ところで、上記のような管理システム等で使用されるＲＦＩＤタグとしては、例えば、特許文献１に開示された構造のものが知られている。同文献１のＲＦＩＤタグ（Ｔ）は、ＲＦＩＤインレット（Ｔａ、Ｔｂ、Ｊ）を取り付けた基材（１）の一辺に貼付部（２）を設け（同文献１の図１参照）、この貼付部（２）を荷物等の被貼付物に貼付することで、被貼付物から外に向けて少し離れた位置にＲＦＩＤインレット（Ｔａ、Ｔｂ、Ｊ）を配置できるようにしている。これは、被貼付物やその内容物の材質によってＲＦＩＤタグ（Ｔ）の通信距離が変化する等、通信に関する被貼付物の影響を極力小さくするためである。
【０００６】
しかしながら、同文献１のＲＦＩＤタグ（Ｔ）によると、被貼付物に貼付したとき、ＲＦＩＤインレット（Ｔａ、Ｔｂ、Ｊ）が被貼付物から外方へ突出するため、ＲＦＩＤインレットに他の部材が衝突し易く、衝突による衝撃力でＲＦＩＤインレットが破損するという問題点がある。また、衝突の衝撃で基材（１）が折れ曲がってしまい、元に戻らないという事態も生じる。基材（１）が折れ曲がって元に戻らないと、ＲＦＩＤインレットを構成する通信アンテナ（Ｔｂ）も同様に折れ曲がったまま元の状態に戻らず、ＲＦＩＤタグ（Ｔ）の通信距離が変化する等、通信に支障が生じ、既定通りの良好な通信を行うことができないという問題点もある。この点については、上記のような基材（１）上に更に情報を書替え可能に表示するリライト表示層を備えたＲＦＩＤタグでも、同様である。
【０００７】
尚、上記説明中のカッコ内の符号は、特許文献１で用いられている符号である。
【０００８】
【特許文献１】特開２００７−３４８６８号公報
【発明の開示】
【発明が解決しようとする課題】
【０００９】
本発明は、上記問題点を解決するためになされたものであり、その目的は、衝撃に強く既定通りの良好な通信を行えるようにしたリライト表示層付きＲＦＩＤタグを提供することである。
【課題を解決するための手段】
【００１０】
上記目的を達成するために、本発明は、基材と、上記基材上に情報を書替え可能に表示するリライト表示層と、上記基材に取り付けたＲＦＩＤインレットと、上記基材の少なくとも一辺に設けた貼付部と、上記貼付部を被貼付物に貼付する貼付手段とからなり、上記基材と上記貼付部のうち、少なくとも基材が、他の物体との衝突による衝撃力で湾曲する柔軟性と、その衝撃力がなくなった後に湾曲前の元の形態に復元できる弾性とを有することを特徴とする。
【００１１】
上記柔軟性と弾性を有する基材とは、以下の試験方法によって特定される試験の結果、戻り角度Θが４５度以上、９０度以下になるものとしてよい。
【００１２】
＜試験方法＞
本試験は、水平面と垂直面とが連続して設けられている試験台を用い、上記基材を試験片とする。そして、この基材の試験片を試験台の垂直面から外方へ５ｃｍ突出させ、この状態で試験片を手で掴んで９０度曲げた後、その手を離す。そして、手を離してから５秒経過した後、試験台の水平面を基準面として、試験台の水平面と試験片とのなす角度を戻り角度Θとして測定する。
【００１３】
上記情報表示部は、加熱により透明状態と白濁状態とが可逆的に変化し、常温でそれぞれの状態の維持が可能な熱可逆性材料よりなるものであってもよい。
【００１４】
上記のような透明・白濁タイプの情報表示部を採用する場合、上記基材と上記情報表示部との間には背景部が設けられ、上記背景部と上記情報表示部との間には空気層が設けられる構成を採用することができる。
【００１５】
また、上記情報表示部は、ロイコ染料と可逆顕色剤を含む熱可逆性材料よりなるものであってもよい。
【００１６】
上記貼付手段は、上記貼付部の裏面に粘着剤層を設け、その粘着力によって上記貼付部を上記被貼付物に貼付する方式、あるいは、上記貼付部にネジ挿入孔を設け、ネジ挿入孔にネジを挿入して被貼付物側のネジ孔に締め付け固定することで、上記貼付部を上記被貼付物に貼付する方式を採用することができる。
【００１７】
上記貼付部は、２枚のシートをその厚さ方向に重ねた形態になっていて、２枚のシートに分離可能である構成を採用してもよい。
【００１８】
上記分離可能な貼付部を採用する場合、上記貼付手段は、分離した上記２枚のシートのそれぞれにネジ挿入孔を設け、このネジ挿入孔にネジを挿入して被貼付物側のネジ孔に締め付け固定することで、上記貼付部を被貼付物に貼付するものであってもよい。
【００１９】
上記分離可能な貼付部を採用する場合、上記貼付手段は、被貼付物に固定冶具として一対の爪を設けるとともに、上記貼付部を２枚のシートに分離して開き、開いた両方のシートを上記両爪の下に滑り込ませることで、上記貼付部を被貼付物に貼付するものであってもよい。
【００２０】
上記分離可能な貼付部を採用する場合、上記貼付手段は、上記貼付部を２枚のシートに分離して開き、開いた両シートの裏面に両面テープを貼付し、この両面テープを介して上記貼付部を被貼付物に貼付するものであってもよい。
【００２１】
上記分離可能な貼付部を採用する場合、かかる貼付部は、２枚のシートに分離し開かれたときに、そのシートの開き面に自己粘着性エラストマー樹脂シートが露出する構成になっていて、上記貼付手段は、上記自己粘着性エラストマー樹脂シートの自己粘着力によって、上記貼付部を被貼付物に貼付するものであってもよい。
【００２２】
上記分離可能な貼付部を採用する場合、かかる貼付部は、２枚のシートに分離し開かれたときに、そのシートの開き面にセパレータシートが露出し、更にそのセパレータシートを剥離すると、粘着剤層が露出する構成になっていて、上記貼付手段は、上記粘着剤層の粘着力によって、上記貼付部を被貼付物に貼付するものであってもよい。
【００２３】
上記分離可能な貼付部を採用する場合、かかる貼付部は、２枚のシートに分離し開かれたときに、そのシートの開き面に両面テープが露出し、更にその両面テープ表面の保護テープを剥離すると、両面テープの粘着剤層が露出する構成になっていて、上記貼付手段は、上記両面テープの粘着剤層の粘着力によって、上記貼付部を被貼付物に貼付するものであってもよい。
【００２４】
上記分離可能な貼付部を採用する場合、かかる貼付部は、２枚のシートに分離し開かれたときに、そのシートの開き面に金属板が露出する構成になっていてもよい。
【発明の効果】
【００２５】
本発明にあっては、貼付部を被貼付物の縁部付近に貼付することで、被貼付物から外に向けて少し離れた位置にＲＦＩＤインレットを配置できることから、被貼付物やその内容物の材質によってＲＦＩＤタグの通信距離が変化する等、通信に関する被貼付物の影響を極力小さくすることができ、既定通りの良好な通信を行えるリライト表示層付きＲＦＩＤタグを提供できる。
【００２６】
ところで、上記のように貼付部を被貼付物の縁部付近に貼付すると、ＲＦＩＤインレットは、被貼付物から外方に突出することになるので、他の物体と衝突する可能性がある。
【００２７】
しかしながら、本発明によると、上記のような衝突が生じたときは、基材が柔軟に湾曲することで衝突の衝撃力を逃がすので、衝突によるＲＦＩＤインレットの破損を効果的に防止することができる。しかも、衝突で湾曲した基材はその基材自体の弾性によって衝突前の元の形態に戻るため（形態の復元性）、ＲＦＩＤインレットを構成する通信アンテナが基材と一緒に湾曲したままの状態になることや、それによってＲＦＩＤタグの通信距離が変化する等、通信に支障が生じることもなく、衝撃に強くかつ既定通りの良好な通信を行えるリライト表示層付きＲＦＩＤタグを提供できる。
【発明を実施するための最良の形態】
【００２８】
以下、本発明を実施するための最良の形態について、添付した図面を参照しながら詳細に説明する。
【００２９】
図１と図２は、本発明の一実施形態であるリライト表示層付きＲＦＩＤタグの説明図である。
【００３０】
＜ＲＦＩＤタグＴの概略＞
図１のリライト表示層付きＲＦＩＤタグＴは、基材２と、この基材２上に情報を書替え可能に表示するリライト表示層６と、基材２に取り付けたＲＦＩＤインレット１と、基材２の一辺２Ａに設けた貼付部３と、貼付部３を被貼付物Ｎに貼付する貼付手段４とから構成される。図２のＲＦＩＤタグＴも同様である。
【００３１】
＜ＲＦＩＤインレットの詳細＞
ＲＦＩＤインレット１は、図示しないＲＦＩＤリーダライタ等の無線通信装置との間で通信を行うためのＩＣチップ１Ａと通信アンテナ１Ｂとを備え、これら全体をフィルム層１Ｃにより覆って保護した形態になっている。フィルム層１Ｃを用いずＩＣチップ１Ａと通信アンテナ１Ｂを直接基材２に埋設する方式も採りうる。なお、ＩＣチップ１Ａや通信アンテナ１Ｂの具体的な構成は周知であるため、それらの詳細な説明は省略する。
【００３２】
＜基材の詳細＞
基材２は、（Ａ）合成ゴム、ウレタン、シリコーンなど、ゴムのように弾性に富む高分子化合物であるエラストマーからなるシート、または、（Ｂ）藁を原料とする黄ボール紙や木材パルプで作った白ボール紙のようなボール紙（板紙）、市販のコピー用紙等の紙類シート、若しくは、（Ｃ）フェノール樹脂、メラミン樹脂、ポリエチレン、ポリ塩化ビニルなどのプラスチック製シート、不織布製シート、あるいは、（Ｄ）これらのシート（先に例示した（Ａ）から（Ｃ）のシート）のうち少なくともいずれか２枚のシート（例えば透明のウレタンシートとコピー用紙）を貼り合わせた複合シート等からなり、他の物体との衝突による衝撃力で湾曲する柔軟性と、その衝撃力がなくなった後に湾曲前の元の形態に復元できる弾性とを有するものである。
【００３３】
上記基材２の素材は、先に例示したウレタンなどに限定されない。しかしながら、金属等のように電磁波を反射する素材や吸収する素材は、ＲＦＩＤタグＴの通信に支障が生じるから、本発明において使用可能な基材２の素材から除外される。
【００３４】
上記のような柔軟性と弾性を有する基材２は、以下の試験方法によって特定される試験の結果、戻り角度Θが４５度以上、９０度以下になるものである。戻り角度Θが４５度以上、９０度以下であるものは、上記のような柔軟性と弾性を有することを意味する。
【００３５】
［試験方法の説明］
本試験は、水平面と垂直面とが連続して設けられている図１２の試験台を用い、上記基材２を試験片とする。そして、この基材２の試験片を試験台の水平面から外方へ５ｃｍ突出させ、この状態で試験片を手で掴んで９０度曲げた後、その手を離す。そして、手を離してから５秒経過した後、試験台の垂直面を基準面として、試験台の垂直面と試験片とのなす角度を戻り角度Θとして測定する。
【００３６】
［試験結果の説明］
図１３は上記試験結果の説明図である。図中「素材」という項目は試験片として採用した基材２の素材を示している。尚、図中「エラストマーＩ」と「エラストマーII」は製造メーカの違いであり、エラストマーＩは「日本マタイ（株）製、エスマーＵＲＳ（製品名）」、エラストマーIIは「日本ユニポリマー（株）製、Ding Zing Film（製品名）」である。プラスチックＩとプラスチックIIも同様に製造メーカの違いであり、プラスチックIIについては「太平化学製品（株）ＰＥＴＧ（製品名）」を使用した。なお、プラスチックＩの製造メーカ等は不明である。紙については市販のコピー用紙を使用し、ボール紙については白ボールを使用した。
【００３７】
図１３中の「幅（ｍｍ）、高さ（ｍｍ）、厚さ（ｍｍ）」という項目は、試験片として採用した基材２の幅、高さ、厚さを示している。図中の「戻り角度」という項目は、その左欄の記載内容（幅、高さ、厚さ、素材）によって特定される基材２の試験片の戻り角度Θ（上記試験の実測値）を示している。さらに、図中の「通信可否」という項目は、戻り角度が付いた状態においてＲＦＩＤリーダライタ等の無線通信装置との間で通信を行ったときの通信結果を「○」と「×」で示したものである。ここで「○」は通信可、「×」は通信不可を示している。
【００３８】
図１３の試験結果から分かるように、本試験では、一部の基材２の試験片（素材がエラストマーＩで幅５０ｍｍ、高さ９０ｍｍ、厚さ０．６ｍｍのもの）を除き、ほかの基材２の試験片の戻り角度Θは、いずれも４５度以上、９０度以下となった。これは、試験片として採用した基材２が先に説明した柔軟性と弾性を有していることを意味している。また、戻り角度Θが５５度〜９０度の範囲では、ＲＦＩＤリーダライタ等の無線通信装置との間で通信可能であることも分かった。
【００３９】
従って、戻り角度Θが５５度〜９０度の範囲内となった上記試験片は、いずれも、他の物体との衝突による衝撃力で湾曲する柔軟性と、その衝撃力がなくなった後に湾曲前の元の形態に復元できる弾性とを有する基材２として、本発明で利用することができる。
【００４０】
＜貼付部の詳細＞
貼付部３は、基材２と同じ材料または異なる材料で作製することができる。基材２と異なる材料で貼付部３を作製する場合には、基材２と貼付部３を面一に接合する接合手段を要するが、基材２と同じ材料で貼付部３を作製する場合には、かかる接合手段は省略される。図１は基材２と貼付部３を同じ材料で形成した例を示している。
【００４１】
図１のＲＦＩＤタグＴでは、貼付部３を通信アンテナ１Ｂと平行な基材２の一辺２Ａに設けているが、例えば図２のように通信アンテナ１Ｂと垂直な基材２の一辺２Ｂに貼付部３を設けることもできるし、また、この貼付部３は、基材２の一辺２Ａ、２Ｂだけでなく、必要に応じて基材２の別の辺や、更に基材２の全辺に形成することもできる。さらに、図１のＲＦＩＤタグＴでは、貼付部３を基材２と同じ寸法としているが、例えば図２のように貼付部３を基材２より小さい寸法にしたり、図示は省略するが、貼付部３を基材２より大きい寸法にしたりすることもできる。
【００４２】
＜貼付手段の詳細＞
貼付手段４については各種考えられるが、図１のＲＦＩＤタグＴでは、その貼付手段４の具体的な方式として、粘着剤の粘着力を利用する方式を採っている。この方式は、貼付部３の裏面に、両面テープの貼付あるいは粘着剤の塗布による粘着剤層４Ａを設け、その粘着力によって貼付部３を被貼付物Ｎに貼付する方式である。
【００４３】
図示は省略するが、上記貼付手段４については、上記粘着剤層４Ａの代わりに、例えばマグネットシートを貼付部３の裏面に貼り付け、その磁力によって貼付部３を被貼付物Ｎに貼付する方式を採用することもできる。
【００４４】
＜リライト表示層と、これに関連する構成の説明＞
リライト表示層６は、加熱により透明状態と白濁状態とが可逆的に変化し、常温でそれぞれの状態の維持が可能な公知の熱可逆性材料（透明・白濁タイプ）よりなり、文字や記号、図形等からなる所定情報を書替え可能に表示する。リライト表示層６の表面は図示しないオーバーコート層により覆われて傷つき難くなっている。
【００４５】
リライト表示層６と基材２との間には背景層７が設けられ、また、その背景層７とリライト表示層６との間には空気層８が設けられている。
【００４６】
背景層７は、熱可逆性材料中の白濁状態をより一層鮮明にするものであるため、白濁状態とのコントラストに優れた反射性を有する銀色または黒色などの濃色系の色相が好適である。
【００４７】
上記のような背景層７を形成するには、例えば、事前に背景層７を印刷によって形成した印刷基材または印刷フィルムを基材２上に貼り付ける方式や、基材２上に背景層７を直接印刷によって形成する方式を採用することができる。
【００４８】
空気層８は、リライト表示層６に対する入射光を全反射する手段として機能する。この空気層８において全反射された光によって、リライト表示層６に表示されている文字等を構成する白濁粒子が強調されることから、表示された文字等とその背景とのコントラストが高まり、表示された文字等の視認性が向上する。
【００４９】
上記のような空気層８を形成するには、例えば、背景層７の外周に粘着剤層９を設け、この粘着剤層９によって背景層７上にリライト表示層６を貼り付ける。そうすると、粘着剤層９により接着されていない部分、すなわちリライト表示層６と背景層７との間には空気が入るため、その間に空気層８ができる。なお、図１では作図上の都合により空気層８を厚く記載しているが、実際の空気層８はそれより遥かに微小である。粘着剤層９の高さ（厚さ）については、背景層７の高さ（厚さ）より低くてもよいし、高くてもよく、また背景層７と同一の高さにしてもよい。いずれの場合でも、粘着剤層９により接着されていない部分（リライト表示層６と背景層７との間）には空気が入るので、リライト表示層６と背景層７との間に空気層８は形成される。この点に関しては後述の図４から図１１の例でも同様である。
【００５０】
図１のリライト表示層付きＲＦＩＤタグＴでは、基材２と貼付部３の全領域に亘ってリライト表示層６を設けているが、その貼付部３上のリライト表示層６は後述する図４のリライト表示層付きＲＦＩＤタグＴのように省略してもよい。
【００５１】
図１のリライト表示層付きＲＦＩＤタグＴでは、透明・白濁タイプのリライト表示層を採用したが、このタイプに限定されることはない。例えば、ロイコ染料と可逆顕色剤を含む公知の熱可逆性材料（ロイコタイプ）よりなるリライト表示層を採用することもできる。この点に関しては、後述する他の図のリライト表示層付きＲＦＩＤタグＴでも、同様である。
【００５２】
次に、上記のように構成されたリライト表示層付きＲＦＩＤタグＴの使用例などについて図１ないし図３を基に説明する。
【００５３】
図１、図２に示した本リライト表示層付きＲＦＩＤタグＴは、例えば、図３のように貼付部３を被貼付物Ｎの縁部外面に貼付する形態で使用される。このとき、図３のように貼付部３の全面が被貼付物Ｎに貼付されるようにしてもよいし、図示は省略するが、貼付部３の一部が被貼付物Ｎに貼付されるようにしてもよい。
【００５４】
上記のように貼付部３を被貼付物Ｎの縁部付近に貼付すると、基材２とこれに取り付けられたＲＦＩＤインレット１は、被貼付物Ｎから外に向けて少し離れた位置に配置されることから、被貼付物Ｎやその内容物の材質によってＲＦＩＤタグＴの通信距離が変化する等、通信に関する被貼付物Ｎの影響は小さくなり、既定通りの良好な通信を行うことが可能になる。
【００５５】
また、上記のように貼付部３を被貼付物Ｎの縁部付近に貼付すると、ＲＦＩＤインレット１や基材２は、図３のように被貼付物Ｎから外方に突出することになるので、何らかの他の物体と衝突する可能性がある。他の物体との衝突は、被貼付物Ｎの搬送時だけでなく、被貼付物Ｎの保管時にも生じる可能性がある。しかしながら、他の物体がＲＦＩＤインレット１に衝突すると、図３の二点破線で示すように、基材２が柔軟に湾曲することで衝突の衝撃力を逃がすので、衝突によるＲＦＩＤインレット１の破損は効果的に防止される。
【００５６】
さらに、上記のような衝突で湾曲した基材２はその基材２自体の弾性によって衝突前の元の形態に戻るため（形態の復元性）、ＲＦＩＤインレット１の通信アンテナ１Ｂが基材２と一緒に湾曲したままの状態になることや、それによってＲＦＩＤタグＴの通信距離が変化する等、通信に支障が生じることもなく、ＲＦＩＤタグＴは既定通りの良好な通信を行うことができる。
【００５７】
以上のように本リライト表示層付きＲＦＩＤタグＴを物品に貼付した後は、そのＲＦＩＤタグＴを通常のリライトプリンタに通してリライト表示層６に印字することが困難であるため、レーザーによる印字が好ましい。
【００５８】
図４は、本発明の他の実施形態であって、図１、図２のリライト表示層付きＲＦＩＤタグとは異なる貼付手段を採用したリライト表示層付きＲＦＩＤタグの説明図である。なお、貼付手段４以外の構成は、図１、図２のＲＦＩＤタグと同様であるため、同一部材には同一符号を付し、その詳細説明は省略する。
【００５９】
図４のリライト表示層付きＲＦＩＤタグＴの貼付手段４はネジ４Ｃを利用する方式（ネジ止め方式）を採用したものである。この方式は、貼付部３にネジ挿入孔４Ｂを設け、ネジ挿入孔４Ｂにネジ４Ｃを挿入して被貼付物Ｎ側のネジ孔４Ｄに締め付け固定することで、貼付部３を被貼付物Ｎに貼付するようにしたものである。
【００６０】
図５ないし図１１は、本発明の他の実施形態の説明図であって、図１のリライト表示層付きＲＦＩＤタグとは異なる貼付形態を採用したリライト表示層付きＲＦＩＤタグの説明図である。
【００６１】
図１のリライト表示層付きＲＦＩＤタグＴの貼付形態は、基材２と貼付部３とが同一面となるように貼付される形態である。これに対して、図５ないし図１１のリライト表示層付きＲＦＩＤタグＴの貼付形態は、いずれも貼付部３を土台として基材２が起立した姿勢で貼付される形態である。このような起立姿勢での貼付を可能とするために、図５ないし図１１のリライト表示層付きＲＦＩＤタグＴでは以下の構成を採用した。なお、図５ないし図１１では、先に説明した図１のリライト表示層付きＲＦＩＤタグＴの構成部材と同一部材には同一符号を付している。
【００６２】
図５ないし図１１のリライト表示層付きＲＦＩＤタグＴでは、基材２と貼付部３はエラストマー樹脂からなる２枚のシートＳ１、Ｓ２を、そのシート厚方向に重ねた形態になっている。
【００６３】
そして、基材２を構成する２枚のシートＳ１、Ｓ２は、そのシートＳ１、Ｓ２間にＲＦＩＤインレット１を介在させて接着している。このため、基材２は２枚のシートＳ１、Ｓ２に分離して開くことはできない。基材２の接着とは、２枚のシートＳ１、Ｓ２に熱と圧力を加えることによって、そのシートＳ１、Ｓ２面どうしを接合することと、接着剤で２枚のシートＳ１、Ｓ２を接合することを含む。
【００６４】
この一方、貼付部３の部分を構成する２枚のシートＳ１、Ｓ２は接着されていない。このため、貼付部３は２枚のシートＳ１、Ｓ２に分離して開くことができる。このように２枚のシートＳ１、Ｓ２に分離可能な貼付部３は、例えば図５（ｂ）のように開かれた後に、同図（ｃ）のように被貼付部Ｎに貼付される。
【００６５】
図５ないし図７のリライト表示層付きＲＦＩＤタグＴにおいては、上記の如く貼付部３だけを２枚のシートＳ１、Ｓ２に分離可能とするために、基材２の接着時に、貼付部３を構成する２枚のシートＳ１、Ｓ２間に図示しない第３のシート（基材２と貼付部３を構成するシートより融点の高いシート）を介在させるようにした。この図示しない第３のシートは上記基材２の接着後に除去される。
【００６６】
また、貼付手段４の具体例として、図５のリライト表示層付きＲＦＩＤタグＴではネジ４Ｃを利用し、図６のリライト表示層付きＲＦＩＤタグＴでは固定冶具４Ｅを利用し、図７のリライト表示層付きＲＦＩＤタグＴでは両面テープ４Ｆを利用した。
【００６７】
図５のネジ４Ｃを利用した貼付手段４は、図５（ａ）（ｂ）のように貼付部３を構成する２枚のシートＳ１、Ｓ２のそれぞれにネジ挿入孔４Ｂを設け、このネジ挿入孔４Ｂにネジ４Ｃを挿入して被貼付物Ｎ側のネジ孔４Ｄに締め付け固定することで、図５（ｃ）のように貼付部３が被貼付物Ｎに貼付されるようにしたものである。
【００６８】
図６の固定冶具４Ｅを利用した貼付手段４では、図６（ｃ）のように被貼付物Ｎ側に固定冶具４Ｅとして一対の爪４Ｅ１、４Ｅ２を設けている。そして、図６（ａ）のように閉じている貼付部３を図６（ｂ）のように２枚のシートＳ１、Ｓ２に分離して開き、開いた両方のシートＳ１、Ｓ２を図６（ｃ）のように一対の爪４Ｅ１、４Ｅ２の下に滑り込ませことで、貼付部３が被貼付物Ｎに貼付されるようにした。
【００６９】
図７の両面テープ４Ｆを利用した貼付手段４は、図７（ａ）のように閉じている貼付部３を図７（ｂ）のように２枚のシートＳ１、Ｓ２に分離して開き、開いた両シートＳ１、Ｓ２の裏面に市販の両面テープ４Ｆを貼付し、両面テープ４Ｆを介して貼付部３が被貼付物Ｎに貼付されるようにした（図７（ｃ）参照）ものである。
【００７０】
なお、図７の両面テープ４Ｆはテープ基材４０の両面に粘着剤層４１を設けた構成になっているが、これに代えて、図示は省略するが、テープ基材４０のない両面テープを採用することもできる。
【００７１】
図８ないし図１１のリライト表示層付きＲＦＩＤタグＴは、先に説明した第３のシートを使用せずに、以下の構成を採用することで、貼付部３だけを２枚のシートＳ１、Ｓ２に分離可能としたものである。
【００７２】
図８のリライト表示層付きＲＦＩＤタグＴにおいても、図８（ｂ）のように、基材２を構成する２枚のシートＳ１、Ｓ２は、そのシートＳ１、Ｓ２間にＲＦＩＤインレット１を介在させた状態で接着されるが、このような基材２の接着前に、貼付部３を構成する２枚のシートＳ１、Ｓ２の対向面には、図８（ａ）のように自己粘着性エラストマー樹脂シートＳ３、Ｓ４が所定の圧力で圧着される。従って、貼付部３を構成する２枚のシートＳ１、Ｓ２間には２枚の自己粘着性エラストマー樹脂シートＳ３、Ｓ４が介在するようになる。
【００７３】
上記２枚の自己粘着性エラストマー樹脂シートＳ３、Ｓ４どうしは、上記基材２の接着過程では完全接着せず、後で分離することができる。従って、貼付部３を構成する２枚のシートＳ１、Ｓ２は、上記基材２の接着後でも、図８（ｂ）のように自己粘着性エラストマー樹脂シートＳ３、Ｓ４を中心として分離可能となる。
【００７４】
上記のような自己粘着性エラストマー樹脂シートＳ３、Ｓ４を採用したリライト表示層付きＲＦＩＤタグＴでは、図８（ｂ）のように貼付部３を２枚のシートＳ１、Ｓ２に分離し開くと、そのシートＳ１、Ｓ２の開き面に自己粘着性エラストマー樹脂シートＳ３、Ｓ４が露出するので、この自己粘着性エラストマー樹脂シートＳ３、Ｓ４の自己粘着力によって、貼付部３を被貼付物Ｎに貼付することができる（図８（ｃ）参照）。
【００７５】
要するに、上記自己粘着性エラストマー樹脂シートＳ３、Ｓ４は、貼付部３を２枚のシートＳ１、Ｓ２に分離可能とする機能と、貼付部３を被貼付物Ｎに貼付するための貼付手段としての機能を発揮する。
【００７６】
自己粘着性エラストマー樹脂シートには、両面とも自己粘着性を有するもの（両面粘着タイプ）と、片面のみに被粘着性処理を施したもの（片面非粘着タイプ）がある。この片面非粘着タイプの自己粘着性エラストマー樹脂シートを例えば図８のリライト表示層付きＲＦＩＤタグＴにおける２枚のシートＳ１、Ｓ２として使用すれば、自己粘着性エラストマー樹脂シートのみで基材２と貼付部３を構成することができる。この構成は、具体的には、先に説明した片面非粘着タイプの自己粘着性エラストマー樹脂シートを２枚使用する方式と１枚使用する方式とが考えられるので、それぞれの方式について以下、簡単に説明する。
【００７７】
片面非粘着タイプの自己粘着性エラストマー樹脂シートを２枚使用する方式では、それぞれの自己粘着性エラストマー樹脂シートの粘着面どうしを対向させ、その両シート間にＲＦＩＤインレットを介在させた状態で、当該両シート全体をそれぞれの自己粘着力で貼り合せるものとする。これにより、２枚のシートをその厚さ方向に重ねた形態の基材（ＲＦＩＤインレットを含む部分）と貼付部（それ以外の部分）とが一体に形成される。その貼付部を構成する２枚のシートどうしも、基材を構成する２枚のシートと同様に、互いに接着している状態になっている。しかしながら、この貼付部を構成する２枚のシートはそれぞれの自己粘着力によって互いに接着しているだけなので、後で分離することができる。そして、かかる貼付部を２枚のシートに分離し開くと、自己粘着性エラストマー樹脂シートの粘着面が当該シートの開き面として露出するので、その粘着面の自己粘着力によって、貼付部３を被貼付物Ｎに貼付することができる。
【００７８】
片面非粘着タイプの自己粘着性エラストマー樹脂シートを１枚使用する方式では、その自己粘着性エラストマー樹脂シートの粘着面が内側になるように当該シートを半分に折り曲げて貼り合わせるとともに、その貼り合わせ面間にＲＦＩＤインレットを介在させるものとする。これにより、２枚のシートをその厚さ方向に重ねた形態の基材（ＲＦＩＤインレットを含む部分）と貼付部（それ以外の部分）とが一体に形成される。その貼付部を構成する２枚のシートどうしも、基材を構成する２枚のシートと同様に、互いに接着している状態になっている。しかしながら、この貼付部を構成する２枚のシートはそれぞれの自己粘着力によって互いに接着しているだけなので、後で分離することができる。そして、かかる貼付部を２枚のシートに分離して開くと、自己粘着性エラストマー樹脂シートの粘着面が当該シートの開き面として露出するので、その粘着面の自己粘着力によって、貼付部３を被貼付物Ｎに貼付することができる。
【００７９】
なお、図８（ａ）では、説明の便宜上、シートＳ２にリライト表示層６を接着した後、シートＳ２とシートＳ１を接着する手順（第１の接着手順）を示したが、その接着の順番を逆にする、すなわち、シートＳ２とシートＳ１を接着した後に、シートＳ２にリライト表示層６を接着してもよい（第２の接着手順）。
【００８０】
特に、リライト表示層６が先に説明したロイコタイプである場合は、前述した第１の接着手順よりも、第２の接着手順の方が好ましい。リライト表示層６が先に説明したロイコタイプである場合には、ロイコ染料の背景に断熱層があり、この断熱層がシートＳ２とシートＳ１の接着時の圧力（例えば、熱と圧力で接着する場合の圧力）で潰れてしまうことで印字が薄くなるなど、発色不良の発生を防止するためである。この点に関しては、先に説明した図５（ａ）、図６（ａ）、図７（ａ）、並びに後述する図９（ａ）、図１０（ａ）、図１１（ａ）でも同様である。なお、熱と圧力ではなく、接着剤によってシートＳ１とシートＳ２とを接着するなら、前述の断熱層に接着時の圧力は作用しないから、ロイコタイプのリライト表示層６について前述の第１の接着手順を採用することができる。
【００８１】
図９のリライト表示層付きＲＦＩＤタグＴは、先に説明した自己粘着性エラストマー樹脂シートＳ３、Ｓ４に代えて、粘着剤層４ＡとセパレータシートＳ５、Ｓ６の組合せを採用したものである。この場合、図９（ａ）のように、粘着剤層４Ａは貼付部３を構成する２枚のシートＳ１、Ｓ２の対向面にそれぞれ設けられ、セパレータシートＳ５、Ｓ６はその粘着剤層４Ａ上に貼付される。
【００８２】
従って、貼付部３を構成する２枚のシートＳ１、Ｓ２間にはセパレータシートＳ５、Ｓ６が２枚介在するようになる。これらのセパレータシートＳ５、Ｓ６どうしは上記基材２の接着過程では接合しないので、貼付部３を構成する２枚のシートＳ１、Ｓ２は、上記基材２の接着後でも、図９（ｂ）のようにセパレータシートＳ５、Ｓ６を中心として分離可能となる。
【００８３】
上記のような粘着剤層４ＡとセパレータシートＳ５、Ｓ６の組合せを採用したリライト表示層付きＲＦＩＤタグＴでは、図９（ｂ）のように貼付部３を２枚のシートＳ１、Ｓ２に分離し開くと、シートＳ１、Ｓ２の開き面にセパレータシートＳ５、Ｓ６が露出し、更にそのセパレータシートＳ５、Ｓ６を剥離すると、粘着剤層４Ａが露出するので、その粘着力によって、貼付部３を被貼付物Ｎに貼付することができる（図９（ｃ）参照）。
【００８４】
図９では、粘着剤層４ＡとセパレータシートＳ５、Ｓ６の組合せを２枚使用したが、これらは互いに繋がっていて１枚の形態になっていてもよい。
【００８５】
図１０のリライト表示層付きＲＦＩＤタグＴは、先に説明した自己粘着性エラストマー樹脂シートＳ３、Ｓ４に代えて、両面テープ４Ｆを採用したものである。図１０（ａ）のように、両面テープ４Ｆは、上記基材２の接着前に、貼付部３を構成する２枚のシートＳ１、Ｓ２の対向面にそれぞれ貼付される。貼付された両面テープ４Ｆはその粘着剤層４１を保護する保護テープ４２どうしが互いに向かい合うようになっていて、保護テープ４２どうしは上記基材２の接着過程では接合しない。従って、貼付部３を構成する２枚のシートＳ１、Ｓ２は、上記基材２の接着後でも、図１０（ｂ）のように保護テープ４２を中心として分離可能になる。
【００８６】
上記のような両面テープ４Ｆを採用したリライト表示層付きＲＦＩＤタグＴでは、図１０（ｂ）のように貼付部３を２枚のシートＳ１、Ｓ２に分離し開くと、シートＳ１、Ｓ２の開き面に両面テープ４Ｆが露出し、更にその両面テープ４Ｆ表面の保護テープ４２を剥離すると、両面テープ４Ｆの粘着剤層４１が露出するので、その粘着力によって、貼付部３を被貼付物Ｎに貼付することができる（図１０（ｃ）参照）。
【００８７】
なお、図１０の両面テープ４Ｆはテープ基材４０の両面に粘着剤層４１を設けた構成になっているが、これに代えて、図示は省略するが、テープ基材４０のない両面テープを採用することもできる。
【００８８】
図１０では、両面テープ４Ｆを２枚使用したが、これらは互いに繋がっていて１枚の形態になっていてもよい。
【００８９】
図１１のリライト表示層付きＲＦＩＤタグＴは、先に説明した自己粘着性エラストマー樹脂シートＳ３、Ｓ４に代えて、金属板５０を採用したものである。図１１（ａ）のように、金属板５０は、上記基材２の接着前に、Ｕ字状に折り曲げて、貼付部３を構成する２枚のシートＳ１、Ｓ２の対向面間に介挿される。そして、金属板５０とシートＳ１、Ｓ２は図示しない粘着剤によって一体に接合されるか、シートＳ１、Ｓ２の自己粘着性によって金属板５０と当該シートＳ１、Ｓ２は一体に接合される。一方、金属板５０の折り曲げ対向面どうしは上記基材２の接着過程では接合しない。従って、貼付部３を構成する２枚のシートＳ１、Ｓ２は、上記基材２の接着後でも、図１１（ｂ）のように金属板５０を中心として分離可能になる。
【００９０】
上記のような金属板５０を採用したリライト表示層付きＲＦＩＤタグＴでは、図１１（ｂ）のように貼付部３を２枚のシートＳ１、Ｓ２に分離し開くと、そのシートＳ１、Ｓ２の開き面に金属板５０が露出する。そして、例えば、この金属板５０を被貼付物の上に置いたり、先に説明した図６の一対の爪４Ｅ１、４Ｅ２の下に滑り込ませたりすることによって、貼付部３を被貼付物Ｎに貼付することができる。
【００９１】
以上説明した図５ないし図１１のリライト表示層付きＲＦＩＤタグＴでは、いずれも基材２と貼付部３の構成としてエラストマー樹脂からなる２枚のシートＳ１、Ｓ２をそのシート厚方向に重ねた形態を採用したが、そのようなエラストマー樹脂シートの代わりに、紙製シートを上記のように２枚重ねとする形態を採用することもできる。この場合、基材２を構成する２枚の紙製シートは接着剤等によって貼り合わせるようにしてよい。
【図面の簡単な説明】
【００９２】
【図１】図１は本発明の一実施形態であるリライト表示層付きＲＦＩＤタグの説明図であり、同図（ａ）はリライト表示層付きＲＦＩＤタグの平面図、同図（ｂ）は図中Ｂ１−Ｂ１断面図である。
【図２】図２は本発明の他の実施形態であるリライト表示層付きＲＦＩＤタグの平面図である。
【図３】図３は本発明に係るリライト表示層付きＲＦＩＤタグの使用状態の説明図である。
【図４】図４は本発明の他の実施形態であるリライト表示層付きＲＦＩＤタグの説明図であり、同図（ａ）はリライト表示層付きＲＦＩＤタグの平面図、同図（ｂ）は図中Ｂ２−Ｂ２断面図である。
【図５】図５は、図１のリライト表示層付きＲＦＩＤタグとは異なる貼付形態を採用した本発明に係るリライト表示層付きＲＦＩＤタグの説明図であって、同図（ａ）はリライト表示層付きＲＦＩＤタグの断面図、同図（ｂ）は貼付部を２枚のシートに分離した状態の断面図、同図（ｃ）はリライト表示層付きＲＦＩＤタグの貼付部を被貼付部に貼付した状態の断面図である。
【図６】図６は、図１のリライト表示層付きＲＦＩＤタグとは異なる貼付形態を採用した本発明に係るリライト表示層付きＲＦＩＤタグの説明図であって、同図（ａ）はリライト表示層付きＲＦＩＤタグの断面図、同図（ｂ）は貼付部を２枚のシートに分離した状態の断面図、同図（ｃ）はリライト表示層付きＲＦＩＤタグの貼付部を被貼付部に貼付した状態の断面図である。
【図７】図７は、図１のリライト表示層付きＲＦＩＤタグとは異なる貼付形態を採用した本発明に係るリライト表示層付きＲＦＩＤタグの説明図であって、同図（ａ）はリライト表示層付きＲＦＩＤタグの断面図、同図（ｂ）は貼付部を２枚のシートに分離した状態の断面図、同図（ｃ）はリライト表示層付きＲＦＩＤタグの貼付部を被貼付部に貼付した状態の断面図である。
【図８】図８は、図１のリライト表示層付きＲＦＩＤタグとは異なる貼付形態を採用した本発明に係るリライト表示層付きＲＦＩＤタグの説明図であって、同図（ａ）は、基材を接着する前のＲＦＩＤタグ部品断面図、同図（ｂ）は、基材の接着後に貼付部を２枚のシートに分離し開いた状態のリライト表示層付きＲＦＩＤタグの断面図、同図（ｃ）は、リライト表示層付きＲＦＩＤタグの貼付部を被貼付部に貼付した状態の断面図である。
【図９】図９は、図１のリライト表示層付きＲＦＩＤタグとは異なる貼付形態を採用した本発明に係るリライト表示層付きＲＦＩＤタグの説明図であって、同図（ａ）は、基材を接着する前のＲＦＩＤタグ部品断面図、同図（ｂ）は、基材の接着後に貼付部を２枚のシートに分離し開いた状態のリライト表示層付きＲＦＩＤタグの断面図、同図（ｃ）は、リライト表示層付きＲＦＩＤタグの貼付部を被貼付部に貼付した状態の断面図である。
【図１０】図１０は、図１のリライト表示層付きＲＦＩＤタグとは異なる貼付形態を採用した本発明に係るリライト表示層付きＲＦＩＤタグの説明図であって、同図（ａ）は、基材を接着する前のＲＦＩＤタグ部品断面図、同図（ｂ）は基材の接着後に貼付部を２枚のシートに分離し開いた状態のリライト表示層付きＲＦＩＤタグの断面図、同図（ｃ）は、リライト表示層付きＲＦＩＤタグの貼付部を被貼付部に貼付した状態の断面図である。
【図１１】図１１は、図１のリライト表示層付きＲＦＩＤタグとは異なる貼付形態を採用した本発明に係るリライト表示層付きＲＦＩＤタグの説明図であって、同図（ａ）は、基材を接着する前のＲＦＩＤタグ部品断面図、同図（ｂ）は、基材の接着後に貼付部を２枚のシートに分離し開いた状態のリライト表示層付きＲＦＩＤタグの断面図である。
【図１２】図１２は、試験方法の説明図である。
【図１３】図１３は、試験結果の説明図である。
【符号の説明】
【００９３】
１  ＲＦＩＤインレット
１Ａ  ＩＣチップ
１Ｂ  通信アンテナ
１Ｃ  フィルム層
２  基材
２Ａ、２Ｂ  基材の一辺
３  貼付部
４  貼付手段
４Ａ  粘着剤層
４Ｂ  ネジ挿入孔
４Ｃ  ネジ
４Ｄ  ネジ孔
４Ｅ  冶具
４Ｆ  両面テープ
４０  両面テープのテープ基材
４１  両面テープの粘着剤層
４２  両面テープの保護テープ
５０  金属板
６  リライト表示層
７  背景層
８  空気層
９  粘着剤層
Ｓ１、Ｓ２  シート
Ｓ３、Ｓ４  自己粘着性エラストマー樹脂シート
Ｓ５、Ｓ６  セパレータシート
Ｔ  リライト表示層付きＲＦＩＤタグ
【図１】
2010086198.tif 000003
【図２】
2010086198.tif 000004
【図３】
2010086198.tif 000005
【図４】
2010086198.tif 000006
【図５】
2010086198.tif 000007
【図６】
2010086198.tif 000008
【図７】
2010086198.tif 000009
【図８】
2010086198.tif 000010
【図９】
2010086198.tif 000011
【図１０】
2010086198.tif 000012
【図１１】
2010086198.tif 000013
【図１２】
2010086198.tif 000014
【図１３】
2010086198.tif 000015